(57)【要約】【課題】原稿の読み取りに際して比較的小さなサイズの光学系を使用して複数の倍率あるいは連続倍率を実現することのできる読取装置を得ること。【解決手段】プラテンガラス１２１の下には、第１のミラー１２６と、その反射光を複数回折り返す第２および第３のミラー１２９、１３０が備えられており、これらのミラーを経た光は光学レンズ１３７を経て１次元イメージセンサに到達し、読取位置１２３の画像が読み取られる。第２および第３のミラー１２９、１３０は対向する反射面の角度を変えることで光の折り返す回数を変える。これに応じて取付板１３９の位置を移動させることで、小型化したスキャナモジュール１０６を用いた原稿１２２の読取倍率を変えることができる。【選択図】  図３
2004170890.tif 000002
【特許請求の範囲】
【請求項１】
原稿の読取位置から光学レンズを経て画像の読取位置に至る光路上に配置され、前記読取位置から送られてきた光を最初に反射する第１の対向ミラーと、
この第１の対向ミラーと互いの反射面を対向配置され、第１の対向ミラーから反射されてきた光を第２の対向ミラーとの間で複数回反射させた後、前記画像の読取位置へ向かって反射させる第２の対向ミラーと、
これら第１および第２の対向ミラーのいずれか一方あるいは双方におけるミラー面の角度を原稿の読取倍率に応じて変えることで第１の対向ミラーと第２の対向ミラーとの間での前記原稿の読取位置から入射した光の反射回数を予め設定可能な複数の反射回数の中から１つの反射回数に設定する反射回数設定手段
とを具備することを特徴とする読取装置。
【請求項２】
前記画像の読取位置には１次元イメージセンサが配置されており、前記第１および第２の対向ミラー、光学レンズおよび１次元イメージセンサは１つの光学モジュールとして組み立てられており、この光学モジュールは１次元イメージセンサが１ラインずつ主走査方向に前記原稿の画像の読み取りを行うとき、この主走査方向と直交する副走査方向に副走査されることを特徴とする請求項１記載の読取装置。
【請求項３】
前記光学モジュール内で前記光学レンズは位置的に固定されており、前記反射回数設定手段が前記原稿の読取倍率に応じた反射回数の設定を行ったとき、前記１次元イメージセンサの画像の読取位置をこれに応じて移動させる１次元イメージセンサ移動手段を具備することを特徴とする請求項２記載の読取装置。
【請求項４】
前記原稿の読取位置から出た光を反射して前記第１の対向ミラーに入射させる位置調整用反射ミラーと、この位置調整用反射ミラーの回転角を制御して前記原稿の読取位置を副走査方向に調整する読取位置調整手段を具備することを特徴とする請求項２記載の読取装置。
【請求項５】
前記原稿の読取位置は原稿を載置するプラテンガラスの表面位置であることを特徴とする請求項１記載の読取装置。
【請求項６】
前記原稿の読取位置はプラテンガラスの表面位置よりも前記第１の対向ミラーから遠ざかった所定位置であることを特徴とする請求項１記載の読取装置。
【請求項７】
前記第２の対向ミラーから反射された光を前記光学モジュールの長手方向に折り曲げる光路変更手段を備え、前記光学レンズはこの光路変更手段と前記１次元イメージセンサの間に配置されていることを特徴とする請求項２記載の読取装置。
【発明の詳細な説明】
【０００１】
【発明の属する技術分野】
本発明はファクシミリ装置、複写機、スキャナ等のように原稿の読み取りを行う読取装置に係わり、特にミラーで光線を折り返して光路長を増長させるようにした光学系を使用する読取装置に関する。
【０００２】
【従来の技術】
各種の資料の電子化や写真や撮影済みフィルムからの画像データの取り込みといった用途によって読取装置がオフィスのみならず家庭でも広く使用されている。特に家庭や小規模なオフィスで使用される読取装置は小型のものが好まれている。このような小型の読取装置は、多数の読取素子を主走査方向に配列した１次元イメージセンサと、シート状原稿や本等の原稿の画像をこの１次元イメージセンサ上に縮小画像として結像するための縮小光学系ならびに光源から構成されるスキャナモジュールを、画像の読み取りのためのユニットとして使用することが多い。スキャナモジュールは、所定の筐体内を主走査方向と直交する副走査方向に移動し、このとき、その上部に配置された平板上のプラテンガラス上に載置された原稿の二次元画像情報が読み取られることになる。
【０００３】
ところで、このような小型の読取装置でも原稿を複数の倍率で読み取る要請が高まっている。たとえば、プラテンガラス上にフィルムをセットしてその拡大画像を読み取ることができれば、専用のフィルムスキャナを別途購入する必要がない。このように同一の１次元イメージセンサを使用して複数の倍率の画像を得ようとすると、原稿あるいは被写体とレンズの間の距離と、レンズと１次元イメージセンサの間の距離を変えると共に、このように距離を変えた状態で１次元イメージセンサに画像が結像するようにレンズの焦点距離を変えることが必要となる。
【０００４】
図７は、従来提案された複写機の光学系についての要部を表わしたものである。プラテンガラス１１の下方には、この図で横方向（副走査方向）に往復動自在に配置された第１および第２の走査光学部１２、１３と、これらの間に配置されたレンズ１４と、画像を露光される感光体ドラム１５と、第２の走査光学部から出力された光を感光体ドラム１５に導く第６のミラー１６とからなる光学系が配置されている。
【０００５】
第１の走査光学部１２は、プラテンガラス１１の線状の読取位置（図で紙面と垂直方向）を照射する光源１８と、これによる原稿（図示せず）の反射光をそれぞれ反射する第１〜第３のミラー２１〜２３から構成されている。第３のミラー２３によって反射された光は、レンズ１４を経て第２の走査光学部１３に入射する。第２の走査光学部１３は、入射した光を第４および第５のミラー２４、２５によって順次反射させ、第２の走査光学部１３の出射光を第６のミラー１６に入射させることになる。この図７に示した光学系の配置は、感光体ドラム１５上に等倍（１００パーセント）の画像を結像させるためのものである。
【０００６】
図８は倍率ならびに被写体とレンズおよび結像位置との関係を説明するためのものである。長さＡの被写体３１とレンズ３２の距離をａとし、レンズ３２と１次元イメージセンサ等の焦点位置の長さＢの像３３との間の距離をｂとする。像３３の倍率Ｂ／Ａは、２つの距離の比ｂ／ａで表わすことができる。そこで、図７に示した特開２００１−１０９０７９号公報の技術では、第１の走査光学部１２と第２の走査光学部１３ならびにレンズ１４を個別に移動させることで距離の比ｂ／ａを変えて、各種の倍率を設定している。
【０００７】
図９は、倍率を５０パーセントにした場合であり、これに対して図１０は倍率を２００パーセントにした場合である。レンズ１４の位置が図で左右方向に相対的に移動している。これにより距離の比ｂ／ａが変わっている。もちろん、画像の実際の読み取りでは第１の走査光学部１２がプラテンガラス１１を図で左側の端部から右側の端部に向けて移動（副走査）する。これに伴い第２の走査光学部１３ならびにレンズ１４もこの位置関係を保って移動することになる。
【０００８】
特開平０６−２７５３９号公報でも、同様に６枚のミラーを順次光線が折り返すような光学系を用意すると共に、レンズおよびミラーの位置を被写体側あるいは結像側に移動することで、倍率の変更を行うようになっている。特開平６−２７５３９号公報の場合には、予め定めた複数の倍率を記憶手段に記憶しておき、これらの倍率に簡易に設定できるようにしている。この他、特開平１１−３０５３５６号公報では、４枚のミラーを使用し、レンズの取付位置を移動したりレンズを交換すると共に、感光材料の配置される焦点位置を移動させることで倍率の変更を行っている。
【０００９】
【発明が解決しようとする課題】
以上説明したように、従来から読取装置では比較的狭いスペースを用いて原稿の画像をイメージセンサや感光体上に結像するために、複数のミラーを使用して光路をこれらミラー１枚ごとに順に折り返していくことで光路長を確保することが一般に行われている。そして、このような読取装置で倍率を複数通りあるいは連続して変更する際には、これらのミラーに対する光路の折り返し自体は変更せずに、レンズやミラーの相対的な位置あるいは焦点位置を変更することで対処していた。
【００１０】
このため読取装置のこれらの移動機構が複雑化するだけでなく、光学系の倍率を大きく変化させる場合には各種の部品の移動量が大きくなる。また、ミラーを複数枚使用しても光路長をかせぐために装置の副走査方向の長さをある程度確保する必要が生じる。この結果、読取装置全体が大型化することになり、小型の読取装置にはこのような倍率を大きく変更する機構を使用できないという問題があった。
【００１１】
そこで本発明の目的は、原稿の読み取りに際して比較的小さなサイズの光学系を使用して複数の倍率あるいは連続倍率を実現することのできる読取装置を提供することにある。
【００１２】
【課題を解決するための手段】
請求項１記載の発明では、（イ）原稿の読取位置から光学レンズを経て画像の読取位置に至る光路上に配置され、読取位置から送られてきた光を最初に反射する第１の対向ミラーと、（ロ）この第１の対向ミラーと互いの反射面を対向配置され、第１の対向ミラーから反射されてきた光を第２の対向ミラーとの間で複数回反射させた後、画像の読取位置へ向かって反射させる第２の対向ミラーと、（ハ）これら第１および第２の対向ミラーのいずれか一方あるいは双方におけるミラー面の角度を原稿の読取倍率に応じて変えることで第１の対向ミラーと第２の対向ミラーとの間での原稿の読取位置から入射した光の反射回数を予め設定可能な複数の反射回数の中から１つの反射回数に設定する反射回数設定手段とを読取装置に具備させる。
【００１３】
すなわち請求項１記載の発明では、原稿の読取位置と１次元イメージセンサあるいは感光体等の画像の読取位置との間の光路上に、第１の対向ミラーと第２の対向ミラーを、互いの反射面が対向配置するように配置している。そして、第１の対向ミラーと第２の対向ミラーの間で反射光を折り返させるとき、その折り返す回数を原稿の読取倍率に応じて変えることにしている。すなわち、反射回数設定手段によって、第１および第２の対向ミラーのいずれか一方あるいは双方におけるミラー面の角度を原稿の読取倍率に応じて変えて、その間の光路長を変化させることで、複数の倍率あるいは連続倍率を実現するようにしている。２つのミラーの間で反射光を折り返す回数を変えるので、折り返しによる光路長の変化の分だけ読取装置のサイズを小型化することができる。倍率は連続的に設定する場合に限られるものではなく、たとえば折り返しの回数の変化に対応した数だけの倍率変更であっても構わない。もちろん、第１の対向ミラーと第２の対向ミラーの間の間隔を変えたり、他の光学部品との距離を変更するといったことを併用することで、連続した倍率の読取装置に本発明を適用することもできる。
【００１４】
請求項２記載の発明では、請求項１記載の読取装置で、画像の読取位置には１次元イメージセンサが配置されており、第１および第２の対向ミラー、光学レンズおよび１次元イメージセンサは１つの光学モジュールとして組み立てられており、この光学モジュールは１次元イメージセンサが１ラインずつ主走査方向に原稿の画像の読み取りを行うとき、この主走査方向と直交する副走査方向に副走査されることを特徴としている。
【００１５】
すなわち請求項２記載の発明の読取装置は、第１および第２の対向ミラー、光学レンズおよび１次元イメージセンサを少なくとも有する光学モジュールが副走査方向に往復動することで原稿の画像を読み取ることにしている。第１の対向ミラーと第２の対向ミラーの間で反射光の折り返す回数を設定可能にしているので、光学モジュールを小型化することができ、読取装置全体の小型化が可能になる。
【００１６】
請求項３記載の発明では、請求項２記載の読取装置で、光学モジュール内で光学レンズは位置的に固定されており、反射回数設定手段が原稿の読取倍率に応じた反射回数の設定を行ったとき、１次元イメージセンサの画像の読取位置をこれに応じて移動させる１次元イメージセンサ移動手段を具備することを特徴としている。
【００１７】
すなわち請求項３記載の発明では、原稿の読取位置の画像を画像の読取位置に正確に結像させるために、光学レンズを固定して１次元イメージセンサ側を１次元イメージセンサ移動手段で移動させることにしている。この反対に１次元イメージセンサを固定して光学レンズを移動させたり、両者を移動させることも可能である。
【００１８】
請求項４記載の発明では、請求項２記載の読取装置で、原稿の読取位置から出た光を反射して第１の対向ミラーに入射させる位置調整用反射ミラーと、この位置調整用反射ミラーの回転角を制御して原稿の読取位置を副走査方向に調整する読取位置調整手段を具備することを特徴としている。
【００１９】
すなわち請求項４記載の発明では、第１および第２の対向ミラーの手前に位置調整用反射ミラーを設けている。本発明では第１および第２の対向ミラーの反射光の折り返し回数を変更できるが、これに伴ってこれらの対向ミラーの一方あるいは双方の反射面が回転し、第１の対向ミラーの入射角が変化する。これにより倍率が異なると原稿の読取位置が副走査方向に変動する可能性がある。そこで請求項４記載の発明では、原稿の読取位置が倍率に係わらず一定となる必要があるような場合に位置調整用反射ミラーの回転角を制御することにしている。
【００２０】
請求項５記載の発明では、請求項１記載の読取装置で、原稿の読取位置は原稿を載置するプラテンガラスの表面位置であることを特徴としている。
【００２１】
すなわち請求項５記載の発明では、原稿の読取位置をプラテンガラスの表面位置とする場合を扱っている。シート状の原稿がプラテンガラスに密着しているような場合には、このような被写体側の位置決めで焦点を合わせることができる。
【００２２】
請求項６記載の発明では、請求項１記載の読取装置で、原稿の読取位置はプラテンガラスの表面位置よりも第１の対向ミラーから遠ざかった所定位置であることを特徴としている。
【００２３】
すなわち請求項６記載の発明では、原稿の読取位置をプラテンガラスの表面位置よりも第１の対向ミラーから遠ざかった所定位置としている。これは、たとえばプラテンガラス上にフィルムホルダを載置した場合で、プラテンガラスから所定距離だけ浮き上がった位置にフィルム面があるような場合に有効である。特にフィルムの画像を拡大して読み取るような場合には、読取位置の厳密な設定が可能であるので、シート状の原稿の読み取られる位置と異なった位置を読取装置とする実益がある。
【００２４】
請求項７記載の発明では、請求項２記載の読取装置で、第２の対向ミラーから反射された光を光学モジュールの長手方向に折り曲げる光路変更手段を備え、光学レンズはこの光路変更手段と１次元イメージセンサの間に配置されていることを特徴としている。
【００２５】
すなわち請求項７記載の発明では、光路変更手段を用いて、第２の対向ミラーから反射された光を光学モジュールの長手方向に折り曲げることで、１次元イメージセンサがある程度小さければ、光学モジュールの副走査方向の長さを短く設定することができる。この結果として、読取装置の副走査方向の長さを短くすることができる。また、光学モジュールと直交するプラテンガラスの下方向ではなくプラテンガラスと並行に折り曲げることによって、光学モジュールのこの方向の長さについても短くすることができ、読取装置の厚さも薄くすることができることになる。
【００２６】
【発明の実施の形態】
【００２７】
【実施例】
以下実施例につき本発明を詳細に説明する。
【００２８】
図１は本発明の一実施例における読取装置の外観を表わしたものである。この読取装置１０１は、装置本体１０２の上面にカバー１０３を開閉自在に配置している。カバー１０３の下には図示しないがプラテンガラスが存在し、更にその下には一対のガイドレール１０４、１０５が配置されている。これらのガイドレール１０４、１０５には、画像の読み取りを行うためのスキャナモジュール１０６が掛け渡されており、図示しない駆動源によってガイドレール１０４、１０５の長さ方向としての副走査方向に往復動するようになっている。
【００２９】
装置本体１０２は上部本体部１０２Ａと下部本体部１０２Ｂを上下に重ね合わせた構造となっている。上部本体部１０２Ａの図で手前側には、画像の読取操作を行う操作部１０７と操作上で必要な表示を行う表示部１０８を備えた制御盤１０９が付属している。
【００３０】
図２はスキャナモジュールの要部についてその部品配置の様子を斜め上方から見たものであり、図３はプラテンガラスとこのスキャナモジュールを側面から見たものである。スキャナモジュール１０６は、図３に示すプラテンガラス１２１上の原稿１２２を読取位置１２３をカバーする形で照射する棒状の光源１２４を備えている。光源１２４による原稿１２２の反射光１２５は、第１のミラー１２６に入射して、斜め上方に反射される。第１のミラー１２６は、その長手方向に回転軸（図示せず）を有しており、第１のモータ（Ｍ１）１２７１によってその回転角度が調整できるようになっている。第１のミラー１２６の反射光１２８は、所定間隔を置いて互いにほぼ並行となるように配置された第２および第３のミラー１２９、１３０のうちの第３のミラー１３０に入射するようになっている。第３のミラー１３０は、その長手方向に回転軸（図示せず）を有しており、第２のモータ（Ｍ２）１２７２によって微小に回転することで第２のミラー１２９との間での反射光１２８の反射による折り返しの回数を変化させるようになっている。図２および図３に示した例では、第２のミラー１２９および第３のミラー１３０でそれぞれ３回ずつの反射が行われる。
【００３１】
第２のミラー１２９による最後の反射光１３１は第３のミラー１３０のすぐ下に配置された第４のミラー１３２に入射し、ここからほぼ垂直方向に下向きに反射される。この反射光１３３は、第５のミラー１３４によってプラテンガラス１２１（図３）とほぼ平行の方向に反射される。この反射光１３５は第６のミラー１３６に入射する。第６のミラー１３６による反射光１３８（図２）の方向は、複数枚のレンズで構成される光学レンズ１３７の光軸と一致している。反射光１３８は光学レンズ１３７によって集束され、取付板１３９上に固定されたＣＣＤ（Ｃｈａｒｇｅｄ  Ｃｏｕｐｌｅｄ  Ｄｅｖｉｃｅ）からなる１次元イメージセンサ１４０上に結像して光電変換されることになる。本実施例で光学レンズ１３７は固定されており、１次元イメージセンサ１４０は第３のモータ（Ｍ３）１２７３によって光学レンズ１３７との間隔を調整するようになっている。なお、装置によっては第１〜第３のモータ１２７１〜１２７３のうちの一部を省略することができる。
【００３２】
ところで、原稿１２２を１次元イメージセンサ１４０で読み取る倍率を変化させると、読取位置１２３が変化する可能性がある。読取位置１２３が変化すると、倍率ごとに読み取りを開始する位置を調整し直す必要があり、制御が複雑化する。そこで本実施例の読取装置１０１では第２のモータ１２７２が反射光１２８の折り返しの回数を制御すると共に、第１のミラー１２６の回転角度を調整することで倍率によらず読取位置１２３が一定するようにしている。読取位置１２３を一定に保持するためにプラテンガラス１２１上で原稿１２２の読取領域外にはセンサ１４１が配置されている。
【００３３】
図４〜図６は、第２および第３のミラーによる反射光の折り返し回数を変化させる場合を示したものである。このうち図４では第２のミラー１２９に対する第３のミラー１３０のなす角を角度θ１とすることで、これらのミラー１２９、１３０で合計８回の反射が行われるようにして、これらの光学部品による光路長を長くしている。
【００３４】
また、図５では第２のミラー１２９に対する第３のミラー１３０の傾斜角を、図４の例の角度θ１よりも広い角度θ２とすることで、これらのミラー１２９、１３０で合計６回の反射が行われるようにして、これらの光学部品による光路長を図４の例よりも短くしている。
【００３５】
更に図６に示した例では、第２のミラー１２９に対する第３のミラー１３０の傾斜角を、図５の例の角度θ２よりも広い角度θ３とすることで、これらのミラー１２９、１３０で合計４回の反射が行われるようにして、これらの光学部品による光路長を図５の例よりも短くしている。
【００３６】
第２のミラー１２９および第３のミラー１３０の間隔が一定であり、また図２あるいは図３に示した光学レンズ１３７あるいは１次元イメージセンサ１４０の位置が固定されているとすると仮定する。この場合、図４〜図６に示した３つの例の中で図４に示した光学系が最も縮小された倍率となり、図６に示した光学系が最も拡大された倍率となる。このような仮定が成立しない場合、たとえば本実施例のように第３のモータ１２７３によって１次元イメージセンサ１４０の位置が変動する場合には、図８に示した距離の比ｂ／ａにおける距離をｂが異なってくる。したがって、図４〜図６に示した３つの例の中でどれがどの倍率の設定用の光学系の配置であるかは一概に決めることはできない。
【００３７】
そこで本実施例の読取装置１０１ではオペレータが図１に示した操作部１０７からある倍率を指定すると、その倍率に応じて、たとえば図示しないＲＯＭ（リード・オンリ・メモリ）が倍率に対応する回転角についての情報を読み出し、第２のモータ１２７２がその角度に設定される。そして、その後、第１のモータ１２７１が回転して原稿１２２の読取位置１２３が調整されると共に、第３のモータ１２７３が取付板１３９を移動させて、その倍率における焦点位置を補正することになる。ここで、第１のモータ１２７１による読取位置１２３の調整は、センサ１４１に対する位置合わせによって行われる。
【００３８】
以上のようにして光学系の調整が行われたら、図１に示したスキャナモジュール１０６がその調整終了時の配置関係を保った状態で、スキャナモジュール１０６の長手方向（主走査方向）と直交する副走査方向に移動する。これによって、原稿１２２（図２）の２次元画像の読み取りが行われることになる。
【００３９】
＜発明の変形可能性＞
【００４０】
以上説明した実施例のスキャナモジュール１０６では、第５のミラー１３４によって光路をプラテンガラス１２１（図３）と平行にした後、第６のミラー１３６によってこの光路をスキャナモジュール１０６の長手方向に変更させた。これにより光学レンズ１３７あるいは１次元イメージセンサ１４０の移動方向がスキャナモジュール１０６の軸方向（主走査方向）となる。したがって、スキャナモジュール１０６の高さ方向および副走査方向における長さを短くして、モジュール自体のサイズを小型化することができる。
【００４１】
このような小型化についての積極的な要請がなければ、図３に示した反射光１３３を導く光学系の配置に各種の変形を加えることが可能である。たとえば第３のミラー１３０の下方に１次元イメージセンサ１４０がその面を上に向けて配置されていてもよく、また、１次元イメージセンサ１４０をスキャナモジュール１０６の長手方向に配置することも可能である。これにより、ミラーの枚数を削減することができる。
【００４２】
更に実施例では第２のミラー１２９を固定したが、第３のミラー１３０の代わりにこれを回転させるようにしてもよい。もちろん、第２のミラー１２９と第３のミラー１３０を共に回転させるような制御を行うことも可能である。
【００４３】
また、実施例ではプラテンガラス１２１の上にこれと接触するように原稿１２２を載置した場合を説明した。このような場合には被写体の位置がプラテンガラス１２１の上面の位置とほぼ見なすことができる。ところが、たとえば写真フィルム上の画像を読み取るような機能を備えた読取装置では、帯状の写真フィルムを図示しないフィルムホルダにセットしてプラテンガラス１２１の上に載置することが一般である。このような場合には、フィルムホルダがフィルムをセットする部分の高さ分だけ、被写体としてのフィルムがプラテンガラス１２１上から浮き上がる。したがって、フィルムホルダを使用する場合には、フィルムの浮き上がりの分だけ焦点深度を深くするか、その浮き上がりを計算に入れて各部の位置調整を行えば良い。
【００４４】
更に実施例では２枚のミラーの間で光路を４回〜８回反射させる例を示したが、これらのミラーによって反射する回数は２回を含めるものであってもよいし、８回を越えた値を含めてもよい。また、焦点位置には１次元イメージセンサに限らず感光体等の他の読取手段あるいは画像記録手段を配置してもよいことは当然である。
【００４５】
【発明の効果】
以上説明したように請求項１記載の発明によれば、第１の対向ミラーと第２の対向ミラーの間で反射光を折り返す回数を原稿の読取倍率に応じて変えることにしているので、光路長が大きく変化するような光学系でも、光学系の占める空間を大幅に小型化することができる。
【００４６】
また請求項２記載の発明によれば、第１および第２の対向ミラー、光学レンズおよび１次元イメージセンサを少なくとも有する光学モジュールが副走査方向に往復動することで原稿の画像を読み取ることにしており、しかも第１の対向ミラーと第２の対向ミラーの間で反射光の折り返す回数を設定可能にしている。これにより、光学モジュールを小型化することができ、読取装置全体の小型化が可能になる。
【００４７】
更に請求項４記載の発明では、位置調整用反射ミラーの回転角を制御して原稿の読取位置を副走査方向に調整する読取位置調整手段を具備するので、倍率が異なっても読み取りの開始位置等を一定に保持できる。また、たとえば光学モジュールを原稿の読み取りの開始位置としてのホームポジションに設定した段階で、必要に応じて読取位置調整手段を用いてシェーディング補正用の部材の画像情報を読み取るといったこともできる。すなわち、シェーディング補正を行うときと行わないときで光学モジュールの移動位置の制御を変える必要がないという利点がある。
【００４８】
また請求項６記載の発明によれば、原稿の読取位置をプラテンガラスの表面位置よりも第１の対向ミラーから遠ざかった所定位置に設定するので、プラテンガラス上にフィルムホルダをセットしたような場合や、分厚い本等の立体物の画像の読み取りに対しても焦点の合った画像を得ることが可能になる。
【００４９】
更に請求項７記載の発明によれば、光路変更手段を用いて、第２の対向ミラーから反射された光を光学モジュールの長手方向に折り曲げることで、１次元イメージセンサがある程度小さければ、光学モジュールの副走査方向の長さを短く設定することができる。この結果として、読取装置の副走査方向の長さを短くすることができる。また、光学モジュールと直交するプラテンガラスの下方向ではなくプラテンガラスと並行に折り曲げることによって、光学モジュールのこの方向の長さについても短くすることができ、読取装置の厚さも薄くすることができる。
【図面の簡単な説明】
【図１】本発明の一実施例における読取装置の外観を表わした斜視図である。
【図２】本実施例でスキャナモジュールの要部についてその部品配置の様子を表わした斜視図である。
【図３】本実施例でプラテンガラスとスキャナモジュールを表わした側面図である。
【図４】本実施例で第２および第３のミラーによる反射光の折り返し回数が８回である場合の光学系の要部説明図である。
【図５】本実施例で第２および第３のミラーによる反射光の折り返し回数が６回である場合の光学系の要部説明図である。
【図６】本実施例で第２および第３のミラーによる反射光の折り返し回数が４回である場合の光学系の要部説明図である。
【図７】従来提案された複写機の光学系が等倍の場合のその配置を示した概略構成図である。
【図８】倍率、被写体とレンズおよび結像位置との関係を示した説明図である。
【図９】図７に示した複写機で倍率を５０パーセントとした際の光学系の配置を示した概略構成図である。
【図１０】図７に示した複写機で倍率を２００パーセントとした際の光学系の配置を示した概略構成図である。
【符号の説明】
１０１  読取装置
１０６  スキャナモジュール
１２１  プラテンガラス
１２２  原稿
１２６  第１のミラー（位置調整用反射ミラー）
１２７１  第１のモータ（読取位置調整手段）
１２７２  第２のモータ（反射回数設定手段）
１２７３  第３のモータ（１次元イメージセンサ移動手段）
１２９  第２のミラー（第１の対向ミラー）
１３０  第３のミラー（第２の対向ミラー）
１３２  第４のミラー
１３４  第５のミラー（光路変更手段）
１３６  第６のミラー（光路変更手段）
１３７  光学レンズ
１３９  取付板
１４０  １次元イメージセンサ
【図１】
2004170890.tif 000003
【図２】
2004170890.tif 000004
【図３】
2004170890.tif 000005
【図４】
2004170890.tif 000006
【図５】
2004170890.tif 000007
【図６】
2004170890.tif 000008
【図７】
2004170890.tif 000009
【図８】
2004170890.tif 000010
【図９】
2004170890.tif 000011
【図１０】
2004170890.tif 000012